(57)【要約】  集計サーバが、情報端末から送信された被集計情報を共有情報・個別伝達情報記憶装置（３５）に格納し、回答結果集計処理回路（３４２）が、共有情報・個別伝達情報記憶装置（３５）に格納された被集計情報を読み出し、被集計情報を集計処理し、集計結果を集計結果記憶装置（３６）に格納し、回答結果解析処理回路（３４３）が、集計結果記憶装置（３６）に格納された集計結果を解析処理し、解析結果を解析結果記憶装置（３７）に格納し、個別伝達処理モジュール（３４ｂ）が、被集計情報を基礎とするデータ中から個別伝達情報を抽出し、この個別伝達情報により特定の情報端末にこの個別伝達情報を送信するステップとを含む。【特許請求の範囲】
【請求項１】
情報処理ネットワークと、該情報処理ネットワークを介して互いに通信可能な集計サーバ及び複数の情報端末とを備え、前記複数の情報端末が、それぞれ画像コードを光学的に読み取り、該画像コードに埋め込まれたメタデータとアクション情報を用いて前記集計サーバに直接アクセスする情報処理方法であって、
前記集計サーバが前記複数の情報端末のそれぞれから送信された被集計情報を共有情報・個別伝達情報記憶装置に格納するステップと、
前記集計サーバの共有情報処理モジュールが、前記共有情報・個別伝達情報記憶装置に格納された前記被集計情報を読み出し、前記被集計情報を集計処理し、該集計処理の結果を解析処理し、解析結果を解析結果記憶装置に格納するステップと、
前記集計サーバの個別伝達処理モジュールが、前記被集計情報を基礎とするデータ中から個別伝達情報を抽出し、該個別伝達情報により特定の情報端末に該個別伝達情報を送信するステップ
とを含むことを特徴とする情報処理方法。 
【請求項２】
前記共有情報処理モジュールが、前記被集計情報を前記共有情報処理モジュールの回答結果集計処理回路を用いて集計処理し、該集計処理の結果を集計結果記憶装置に格納し、前記集計結果記憶装置に格納された該集計処理の結果を前記共有情報処理モジュールの回答結果解析処理回路を用いて解析処理し、解析結果を解析結果記憶装置に格納することを特徴とする請求項１に記載の情報処理方法。 
【請求項３】
前記画像コードとして、集計用選択コードと個別伝達コードとが別個に用意され、前記個別伝達処理モジュールは、前記個別伝達コードを解読したデータ中から前記個別伝達情報を抽出することを特徴とする請求項１に記載の情報処理方法。 
【請求項４】
前記個別伝達コードが複数種類用意され、前記複数の情報端末がそれぞれ個別に前記複数種類の内から特定の個別伝達コードを選択し、前記個別伝達処理モジュールは、前記個別伝達コードを解読したデータ中から選択された前記特定の個別伝達情報を抽出することを特徴とする請求項３に記載の情報処理方法。 
【請求項５】
単一の画像コード中に集計用選択コードと個別伝達コードが含まれ、前記個別伝達処理モジュールは、前記個別伝達コードを解読したデータ中から前記個別伝達情報を抽出することを特徴とする請求項１に記載の情報処理方法。
【請求項６】
前記個別伝達処理モジュールが、前記解析結果記憶装置に格納された前記解析結果を分析して前記個別伝達情報を抽出することを特徴とする請求項１に記載の情報処理方法。
【請求項７】
前記共有情報処理モジュールが、前記解析結果記憶装置に格納された前記解析結果を読み出し、前記複数の情報端末からそれぞれ送られた回答の傾向を分析し、該分析結果を用いて、回答の傾向の合う情報端末をマッチング処理することを特徴とする請求項１に記載の情報処理方法。
【請求項８】
情報処理ネットワークを介して互いに通信可能な集計サーバ及び複数の情報端末とを備え、前記複数の情報端末が、それぞれ画像コードを光学的に読み取り、該画像コードに埋め込まれたメタデータとアクション情報を用いて前記集計サーバに直接アクセスする情報処理システムに用いられる前記集計サーバであって、
前記複数の情報端末のそれぞれから送信された被集計情報を格納する共有情報・個別伝達情報記憶装置と、
前記共有情報・個別伝達情報記憶装置に格納された前記被集計情報を読み出し、前記被集計情報を集計処理し、該集計処理の結果を解析処理する共有情報処理モジュールと、
前記被集計情報を基礎とするデータ中から個別伝達情報を抽出し、該個別伝達情報により特定の情報端末に該個別伝達情報を送信する個別伝達処理モジュール
とを備えることを特徴とする集計サーバ。
【請求項９】
前記集計処理の結果を格納する集計結果記憶装置と、
前記解析結果を格納する解析結果記憶装置
とを更に備え、
前記共有情報処理モジュールが、
前記共有情報・個別伝達情報記憶装置に格納された前記被集計情報を読み出し、前記被集計情報を集計処理し、前記集計処理の結果を前記集計結果記憶装置に格納する回答結果集計処理回路と、
前記集計結果記憶装置に格納された前記集計処理の結果を解析処理し、解析結果を前記解析結果記憶装置に格納する回答結果解析処理回路
とを備えることを特徴とする請求項８に記載の集計サーバ。
【請求項１０】
前記共有情報処理モジュールが、前記解析結果記憶装置に格納された前記解析結果を読み出し、前記複数の情報端末からそれぞれ送られた回答の傾向を分析し、該分析結果を用いて、回答の傾向の合う情報端末同士をマッチング処理するマッチング回路を備えることを特徴とする請求項９に記載の集計サーバ。
【発明の詳細な説明】
【技術分野】
【０００１】
本発明は、インターネット等の通信ネットワークを用いた技術に係り、特に、この通信ネットワークを介して通信をする情報処理機器（以下において「情報端末」という。）を用いた情報処理方法、及びこの情報処理方法に用いられる集計サーバに関するものである。
【背景技術】
【０００２】
現在のＩＴ技術の環境下においては、オフラインの環境下、即ち、街角を通行中に注目すべき広告媒体にサプライ側パブリック情報を見つけても、時間の関係で、それらのＵＲＬ情報や広告情報を入力できない場合がある。更に、折角メモしたサプライ側パブリック情報や、切り取りを行ったサプライ側パブリック情報を紛失する場合もある。又、自宅についてから、ＰＣのキーボードからオンラインの環境に、入力する際に間違える可能性もある（尚、ここでは「オンライン」とは、有線、無線を問わず、情報通信網と通信機器とを用いて、情報の通信を行える環境を意味する。一方、「オフライン」とは、情報通信網とは独立した印刷媒体等、通信機器が直接情報交換できない環境をいう。）。【０００３】
特に、今後我が国は、高齢者社会になるので、視力等の低下した老人等には、ＵＲＬ情報の視覚による読み取りや、キーボードからのオンラインへの入力は負担になるため、オフラインのサプライ側パブリック情報が呈するユビキタス環境下、即ち、いつでも、どこでも、煩雑なユーザ側プライベート情報を入力しなくても、買物、資料請求、予約等のアクションを一気に完結させるシステムが待望される。【０００４】
この様な事情を鑑み、画像コード読み取り機能を有した情報端末（以下において「画像コード読取型情報端末」という。）を用いて、印刷媒体や電子表示装置を介して、事業者が提供した二次元コード等の画像コードを読み取り、これによって得られたアクセス先のネットワーク情報（ＵＲＬなど）等と、画像コード読取型情報端末に記憶された個人情報とを編集し、この編集された情報を用い、画像コード読取型情報端末から、インターネットを介して、情報処理等を行う技術がWO 01/67326 A1公報(米国特許出願番号10/221,417)により提案され、既に印刷媒体に表示された画像コードを用いた技術が商業レベルで普及し始めている。WO 01/67326 A1公報の内容を、参照して本明細書に繰り込む。
【発明の開示】
【０００５】
しかしながら，多数の画像コード読取型情報端末から読み込んだ情報を瞬時に統計処理（集計処理）し、全員にその集計結果をリアルタイムに表示する共有情報コミュニケーションシステムと、多数の情報端末中から特定の情報端末を選択し、個別に必要な情報のみを選択的に提供する個別情報コミュニケーションシステムという２つの異なった系統のシステムを、相互に関連させつつ、並列処理可能な情報処理システムやこれを用いた情報処理方法は未だ提案がない。
【０００６】
本発明は、全員にリアルタイムで瞬時に集計結果を表示する共有情報コミュニケーションシステムと、特定の情報端末を選択し個別に情報を提供する個別情報コミュニケーションシステムを、相互に関連させつつ、並列処理可能で、且つ集計サーバの処理能力の負担を軽減できる情報処理方法、及びこの情報処理方法に用いられる集計サーバを提供することを目的とする。
【０００７】
上記目的を達成するために、本発明の第１の態様は、情報処理ネットワークと、この情報処理ネットワークを介して互いに通信可能な集計サーバ及び複数の情報端末とを備え、複数の情報端末が、それぞれ画像コードを光学的に読み取り、この画像コードに埋め込まれたメタデータとアクション情報を用いて集計サーバに直接アクセスする情報処理方法に関する。即ち、本発明の第１の態様に係る情報処理方法は、（ａ）  集計サーバが複数の情報端末のそれぞれから送信された被集計情報を共有情報・個別伝達情報記憶装置に格納するステップと、（ｂ）集計サーバの共有情報処理モジュールが、共有情報・個別伝達情報記憶装置に格納された被集計情報を読み出し、被集計情報を集計処理し、この集計処理の結果を解析処理し、解析結果を解析結果記憶装置に格納するステップと、（ｃ）集計サーバの個別伝達処理モジュールが、被集計情報を基礎とするデータ中から個別伝達情報を抽出し、この個別伝達情報により特定の情報端末にこの個別伝達情報を送信するステップとを含むことを特徴とする。
【０００８】
本発明の第２の態様は、情報処理ネットワークを介して互いに通信可能な集計サーバ及び複数の情報端末とを備え、複数の情報端末が、それぞれ画像コードを光学的に読み取り、この画像コードに埋め込まれたメタデータとアクション情報を用いて集計サーバに直接アクセスする情報処理システムに用いられる集計サーバに関する。即ち、本発明の第２の態様に係る集計サーバは、（ａ）  複数の情報端末のそれぞれから送信された被集計情報を格納する共有情報・個別伝達情報記憶装置と、（ｂ）共有情報・個別伝達情報記憶装置に格納された被集計情報を読み出し、被集計情報を集計処理し、この集計処理の結果を解析処理する共有情報処理モジュールと、（ｃ）被集計情報を基礎とするデータ中から個別伝達情報を抽出し、この個別伝達情報により特定の情報端末にこの個別伝達情報を送信する個別伝達処理モジュールとを備えることを特徴とする。
【図面の簡単な説明】
【０００９】
【図１】図１は、本発明の第１の実施の形態に係る情報処理システムの概略を示すシステム構造図である。
【図２】図２は、本発明の第１の実施の形態に係る情報処理システムに用いる画像コード読取型情報端末の論理的構造の概略を示すブロック図である。
【図３】図３は、本発明の第１の実施の形態に係る情報処理システムに用いる集計サーバの論理的構造の概略を示すブロック図である。
【図４】図４は、本発明の第１の実施の形態に係る情報処理方法を説明するフローチャートである。
【図５】図５は、本発明の第１の実施の形態に係る情報処理方法に用いる集計用選択コード及び個別伝達コードを印刷した印刷物を説明する模式図である。
【図６】図６は、本発明の第１の実施の形態に係る情報処理方法において、セミナー会場の大画面表示装置（スクリーン）に集計結果を全体表示している様子を説明する模式図である。
【図７】図７は、本発明の第２の実施の形態に係る情報処理システムの概略を示すシステム構造図である。
【図８】図８は、本発明の第２の実施の形態に係る情報処理システムに用いる集計サーバの論理的構造の概略を示すブロック図である。
【図９】図９は、本発明の第２の実施の形態に係る情報処理方法を説明するフローチャートである。
【図１０】図１０は、本発明の第２の実施の形態の変形例に係る情報処理システムの概略を示すシステム構造図である。
【図１１】図１１は、本発明の第２の実施の形態の変形例に係る情報処理システムに用いる第１集計サーバの論理的構造の概略を示すブロック図である。
【図１２】図１２は、本発明の第２の実施の形態の変形例に係る情報処理システムに用いる第２集計サーバの論理的構造の概略を示すブロック図である。
【図１３】図１３は、本発明の第２の実施の形態の変形例に係る情報処理方法を説明するフローチャートである。
【図１４】図１４は、本発明の第３の実施の形態に係る情報処理システムに用いる集計サーバの論理的構造の概略を示すブロック図である。
【図１５】図１５は、本発明の第３の実施の形態に係る情報処理方法を説明するフローチャートである。
【図１６】図１６は、本発明の他の実施の形態に係る情報処理システムの概略を示すシステム構造図である。
【図１７】図１７（ａ）は画像コード読取型情報端末の表示装置にキー操作を指示する文字表示を自動的に表示させた様子を示す模式図、図１７（ｂ）及び図１７（ｃ）は、それぞれ、画像コード読取型情報端末の表示装置に集計結果を表示させた様子を示す模式図である。
【発明を実施するための最良の形態】
【００１０】
次に、図面を参照して、本発明の実施の形態を説明する。以下に示す第１〜第３の実施の形態は、本発明の技術的思想を具体化するための装置や方法を例示するものであって、本発明の技術的思想は、これらの説明に用いた画像コード、電子表示装置、画像コードを読取可能な情報端末等を使用する場合に限定するものでない。本発明の技術的思想は、特許請求の範囲に記載された技術的範囲内において、種々の変更を加えることができる。特に、以下の本発明の実施の形態に係る情報処理方法の説明では、画像コードの例として二次元コードを例示するが、画像コードは、二次元コードに限定する必要はなく、図形、一次元コード、一次元コードと二次元コードとの組み合わせ等の画像コード等、種々の画像コードが使用可能である。バーコード（一次元コード）を、２次元的に積み重ねたスタックバーコード等の一次元コードと二次元コードとの中間的なコードでも良い。【００１１】
（第１の実施の形態）
−情報処理システム−
図１に示すように、本発明の第１の実施の形態に係る情報処理システムは、インターネット等の情報処理ネットワーク（通信ネットワーク）２６と、情報処理ネットワーク２６に接続された会場支援サーバ２８と、集計サーバ２１と、中継装置２２とを備えた模擬試験形式のセミナー支援システムである。会場支援サーバ（ＰＣ）２８には、会場支援サーバ２８に制御されるプロジェクタ２９が接続され、プロジェクタ２９は、セミナー会場に設置された大画面表示装置（スクリーン）３０に必要な情報を表示する。セミナー会場には上級者（レベル１）、中級者（レベル２）及び初心者（レベル３）が同時に参加し、模擬試験を受験するものとする。【００１２】
図１では、図示を省略しているが、本発明の第１の実施の形態に係る情報処理システムにおいては、セミナー参加者は、それぞれ画像コード読取型情報端末を持参している（図１６に示した複数（多数）の画像コード読取型情報端末６５ａ，６５ｂ，・・・・・，６５ｈ，・・・・・参照。）そして、セミナー参加者は、模擬試験の結果等の情報を大画面表示装置（スクリーン）３０を介して、セミナー講師から説明を受けるものとする。画像コード読取型情報端末は、図１に示すデジタル通信網２７を介して情報処理ネットワーク２６に接続されている。尚、便宜上、第１の実施の形態に係る情報処理システムでは、複数（多数）の画像コード読取型情報端末が、携帯電話であるとして説明するが、「画像コード読取型情報端末」は携帯電話に限定されるものではなく、携帯電話の他に、画像読み取り機能を備えたＰＨＳ、ＰＤＡ、携帯用ＰＣ（ノートパソコン）、電子手帳等でも良い。又、デジタルカメラを含むカメラ、ゲーム機、カーナビゲーション機器、スキャナー、プリンタ等の電子機器でも、図２に示すような画像コード読取装置１１、解読手段画像コード解読手段１０ｂ、及びデータ編集手段１０ｃと等価な機能を有する機器であれば構わない。更に、腕時計、眼鏡、ベルト、靴等身体に装着又は携行可能なものの一部に画像コード読取装置１１、画像コード解読手段１０ｂ、データ編集手段１０ｃと等価な機能を付加した構造でも構わない。【００１３】
図１に示すように、デジタル通信網２７は、情報処理ネットワーク２６と直接連結を持つ中継装置２２に加え、中継装置２２に接続された交換機２３と、交換機２３に接続された中継機２４により構成される。中継機２４は、電波で交信できる範囲である通信エリア（セル）別に配置され、画像コード読取型情報端末と電波で直接交信を行う基地局である。交換機２３は、中継機２４の制御機能を持っている。中継装置２２は、画像コード読取型情報端末の移動に伴い、通信エリア（セル）の位置が変わるときに、中継機２４に呼び出され、画像コード読取型情報端末の位置を常に把握し、あらゆる通信に持続的な連結を可能にする。中継装置２２は、情報処理ネットワーク２６への接続点を持っているばかりではなく、加入電話などの他の通信事業者とＰＯＩ（相互接続点）により連結を持つ。【００１４】
本発明の第１の実施の形態に係る情報処理システムに用いられる画像コード読取型情報端末は、図２に示すように、二次元コードを撮影するカメラ機能を持ち、撮影した二次元コードを、画像コード解読手段１０ｂで解読（デコード）し、更に、データ編集手段１０ｃで解読された二次元コードと、個人情報記憶装置１２に格納された個人情報とを編集する。図１の画像コード読取型情報端末の詳細な構造の一例を、図２に示すが、入力装置１、表示装置２、無線装置４、音声処理装置５、ＣＯＤＥＣ（コーデック）６、データ記憶装置９、処理制御装置１０、画像コード読取装置（二次元コード読取装置）１１、個人情報記憶装置１２及び一時記憶装置１３等を、その論理的構成として備える画像コード読取機能内蔵携帯電話である。無線装置４にはアンテナ３が接続されている。ＣＯＤＥＣ６には、送話装置７と受話装置８が接続されている。入力装置１は、画像コード読取型情報端末上にある、プッシュボタンやスクロールボタン等であり、対応するキーの入力情報（電話番号、カタカナ、ひらがな、漢字、英字、絵文字、画像など）は処理制御装置１０に伝達される。表示装置２は、押下したキーの入力情報（電話番号、カタカナ、ひらがな、漢字、英字、絵文字、画像など）の表示や、選択するメニュー、選択したメニューなどが表示されるもので、ＴＦＴ（薄膜トランジスタ）等の液晶画面を用いることが可能である。アンテナ３は、電波の送受信するものである。音声処理装置５には、ＤＳＰ（デジタル・シグナル・プロセッサ）が使用可能であり、音声や画像処理のために、特化したマイクロプロセッサとして動作し、ＣＰＵの処理の肩代も可能である。ＣＯＤＥＣ６は、音声のアナログ信号をデジタル信号に変換し、その逆も行い、デジタル音声信号を音声符号化／複合化し、音声や画像の記録や伝達に用いる。送話装置７は、マイクで、使用者の音声を入力する。受話装置８は、スピーカーで、通話の相手の音声を出力する。データ記憶装置９は、ＲＯＭ及びＲＡＭが使用可能である。【００１５】
図２の処理制御装置１０は、第１の実施の形態に係る画像コード読取型情報端末全体を制御するプロセッサであり、電話機能制御手段１０ａ、画像コード解読手段１０ｂ及びデータ編集手段１０ｃ等の論理回路を、その論理的構成として備える。ここで、電話機能制御手段１０ａは、従来の標準的な携帯電話の電話機能を制御するのに必要な処理を行う論理回路である。入力装置１、送話装置７と受話装置８により、音声通話制御や、各種設定処理、携帯端末の備えられた機能制御等を行う。画像コード解読手段１０ｂは、画像コード読取装置１１で読み込まれたデータを取得し、画像コード（二次元コード）が正当であるかどうかのチェックを行うのに必要な処理を行う論理回路である。更に、画像コード解読手段１０ｂ は、画像コード読取装置１１で読み込まれた画像コード（二次元コード）を文字データに変換するのに必要な処理を行う論理回路である。画像コード解読手段１０ｂを経ることによって、画像コード（二次元コード）は、単なる画像データからコンピュータ読み取り可能なデータに変換（デコード）することができる。データ編集手段１０ｃは、個人情報記憶装置１２に記憶された個人情報と、画像コード解読手段１０ｂ より得られたオフライン情報を編集統合するのに必要なメタレベルでの処理を行う論理回路であり、編集統合された情報が外部に出て行く。「メタレベル」での処理の詳細については、参照して本明細書に繰り込む米国特許第６２６９３６５号明細書、及び米国特許第６１３８１１６号明細書に記載されている。【００１６】
本明細書に繰り込まれた米国特許第６２６９３６５号明細書において説明しているように、オープンプラットフォームにおいて、互いに異なるサービスを行う複数の商品提供者端末が使用可能なデータベースシステムは、「アプリケーションレベル」、「ローカルレベル」、そしてその中間に介在する「メタレベル」の３層（レベル）構造によりから構成される「異種データベース統合システム」である。最上層の「アプリケーションレベル」は、任意の業種の、複数の商品提供者端末が、オープンプラットフォームにおける任意のサービス（商取引）において、直接関わる層であり、マルチデータベース環境を利用対象とした、アプリケーションソフトウェアを構築するレベルである。オープンプラットフォームにおいて、複数の商品提供者端末と対応する携帯情報機器とは、アプリケーションソフトウェアを介して、互いにそれぞれのサービス（商取引）に必要な情報の問い合わせを行い、その結果を得る。アプリケーションソフトウェアは、オープンプラットフォームにおけるサービス（商取引）に必要なデータを、先ず異種データベース統合システムにおいてあらかじめ定義する形式（以下、「スクリプト形式」と称す）に記述若しくは変換した上で、下層のメタレベルに発行し、その問い合わせの結果を取得する。以下、スクリプト形式で表した問い合わせを単に「スクリプト」と称す。【００１７】
最下層の「ローカルレベル」は、マルチデータベース環境に接続される、異なる業種の、複数の商品提供者端末のそれぞれに個別に対応した複数のデータベース、及びデータベース管理システム（以下、「データベースシステム」と総称する）が存在する層である。それぞれのデータベースシステムは、異なる業種の、複数の商品提供者端末のサービス内容に対応した、閉じた環境又は閉じた系において、個別に問い合わせ、更新、管理などの運用が行われ、個別に管理運用可能なデータベースシステムである。但し、ローカルレベルに存在するそれぞれのデータベースシステムには、一般に、そのシステム固有のデータベース処理系があり、個々のデータベースに対する操作手順について同一性が保証されているものではない。【００１８】
３層構造の中間層に位置する「メタレベル」は、処理制御装置が備えるスクリプト解釈装置、メタデータベース、及びメタデータベース管理システムから構成されるメタデータベースシステムを備えるシステムである。メタレベルに存在するそれぞれのデータベースシステムでは、アプリケーションレベルから受信したスクリプトによる問い合わせを、先ずスクリプト解釈装置において解釈し、メタレベルに存在するデータベースシステム及びローカルレベルに存在するデータベースシステムと交信する。即ち、スクリプト解釈装置によって、異種データベース統合システムにおいて更に定義する形式（以下、「メタプリミティブ形式」と称す）に変換した上で、これをメタレベル及びローカルレベルにそれぞれ存在するデータベースシステムに問い合わせ発行し、その結果を取得する。この様にして、アプリケーションレベルとメタレベルは、スクリプトでインターフェイスされ、メタレベルとローカルレベルは、メタプリミティブ形式に変換した問い合わせでインターフェイスされ、互いに接続される。【００１９】
この様に、データ編集手段１０ｃは、ユーザ側プライベート情報及びサプライ側パブリック情報のメタレベルでの編集統合及び構造化の機能を有する。ここで、「サプライ側パブリック情報」には、取引の種別、必要とする機能群及び、メタデータ群が含まれる。このデータ編集手段１０ｃは、各種メディア印刷、ポスター印刷、入力用ブックレット、商品パッケージ印刷などのサプライ側パブリック情報に基づき、サプライ側パブリック情報とユーザ側プライベート情報を編集統合することができる。データ編集手段１０ｃによって、画像コード解読手段１０ｂ から得たオフライン情報を個人情報記憶装置１２に記憶されている個人情報（氏名、住所、電子メールアドレス、クレジットカード番号等）と編集統合し、外部へ発信する。【００２０】
画像コードには、メタデータに加え、更に、それぞれの取引（アクション）が必要とするアクション情報が埋め込まれている。このため、画像コードに含まれたアクション情報が光学的に読み込まれると自動的に（読み込まれたアクション情報の命令に従って）、メタレベルのデータベースシステムにおける編集統合の処理が開始される。この様に、オープンプラットフォームにおける種々の商取引を可能にするように、データ編集手段１０ｃは、各種メディア印刷、ポスター印刷、入力用ブックレット、商品パッケージ印刷などのサプライ側パブリック情報に基づき、サプライ側パブリック情報とユーザ側プライベート情報を、読み込まれたアクション情報の命令に従って、メタレベルで編集統合することができる。商取引に関するデータ編集手段１０ｃによって、画像コード解読手段１０ｂから得た商品情報等のサプライ側パブリック情報を、個人情報記憶装置１２に記憶されているユーザ側プライベート情報（氏名、住所、電子メールアドレス、クレジットカード番号等）とを、画像コードから読み込まれたアクション情報の命令に従って自動的に編集統合し、外部へ発信する。【００２１】
即ち、データ編集手段１０ｃは、詳細には、以下の機能群を実現可能である：
（ａ）選択：必要なユーザ側プライベート情報と、サプライ側パブリック情報を取捨選択する；
（ｂ）統合：データの種別により、選択された必要なデータを統合（結合）する。特にユーザ側プライベート情報群と、画像コードのデータが提供するサプライ側パブリック情報群を、メタデータとして埋め込まれたアクション情報の指示に応じ、動的に編集統合する；
（ｃ）検索：場合によっては、必要なデータを検索する。例えば、ユーザ側プライベート情報群のメタデータの１つである「住所」に基づいて最寄の販売店イベント開催会場などを検索し、ユーザに提示するなどが、その例である；
（ｄ）データ形式の変換・置換：画像コードのデータに組みこまれたメタレベルのサプライ側パブリック情報を、事業者が最終的に要求するローカルレベルのデータ形式に変換する；
（ｅ）データの構造化：又、個々の事業者に適合するローカルレベルのデータ形式に変換したものを事業者の要求する最終データ構造（発注データ、予約データ、申し込みデータ、登録データ、決済データなど）に合致するよう構造化を行う；
（ｆ）暗号化：個人情報などをメタデータ毎に、必要とされるセキュリティレベルに適合するよう暗号化する；
（ｇ）機能の複合化：複数の機能を実現するよう、メタデータを構造化する。例えば、ユーザがあるイベントを申し込んだ場合、
１）イベントの申し込みデータ、
２）参加費用の決済データ、
３）会場への案内地図の提供、ナビゲーションをそれぞれを構造化し、適切なサーバに最終的なデータを配信する；
（ｈ）認証機能の実現：ユーザ側プライベート情報群と、画像コードのデータに含まれるサプライ側パブリック情報群のメタデータの内、ＩＤ（認証用登録番号など）に相当するデータ群を以上の機能群、特に、（ｆ）の暗号化の機能と、（ｇ）の機能の複合化を利用することにより、複数の暗号鍵を使ってデータを構造化することで、認証機能を実現し、強度なセキュリティ環境を構成できる。【００２２】
この様に、データ編集手段１０ｃは、画像コードのデータに含まれるサプライ側パブリック情報に基づき、編集するデータを動的に取捨選択することができる。データ編集手段１０ｃは、画像コードのデータに含まれるサプライ側パブリック情報を動的に取捨選択、抽出、編集統合するのであり、このことは、メタデータ毎に、任意強度のセキュリティを、異なった鍵を用いて暗号化することにより、自動認識コードの偽造改ざん、ネットワーク上での成りすまし、ハッキング（データの盗み見）はもとより、取引を行うサーバシステム運営管理者でさえ、データを紐付けして、抜き出すことはできない仕組みを、実現することを可能とするものである。即ち、メタデータ（サプライ側パブリック情報）を、データ編集手段１０ｃが動的に取捨選択し、抽出し、更に編集統合することにより、現実に極めて強力な情報社会インフラを提供する。【００２３】
図２の画像コード読取装置１１は、印刷媒体等から、質問（アンケート）に関する情報が埋め込まれた二次元コード等の画像コードを撮りこむ装置である。冒頭で述べたように、第１の実施の形態では、画像コード読取型情報端末は、それぞれ携帯電話であると仮定しているが、画像コード読取型情報端末は携帯電話に限定されるものではない。携帯電話の場合は、イメージセンサを用いた固体撮像カメラを搭載したカメラ付き携帯電話が画像コード読取型情報端末として好適である。【００２４】
即ち、画像コード読取装置１１としては、ＣＣＤイメージセンサやＣＯＭＳイメージセンサが使用可能である。又、外側をＣＣＤイメージセンサ、内側をＣＯＭＳイメージセンサとした複合型イメージセンサでも良い。既に述べたように、画像コードとしては、二次元コードに限定する必要はなく、図形、一次元コード、一次元コードと二次元コードとの組み合わせ等の画像コード等、種々の画像コードが使用可能であるが、第１の実施の形態に係る画像コード読取型情報端末では、二次元コードの場合を例示的に説明しているので、「二次元コード読取装置」の用語を用いているが、より広義には、「画像コード読取装置」と読み替えるべきである。「二次元コード」にはデータ・マトリクス，ＱＲコード，ＰＤＦ４１７，マキシコード、ベリコード等種々のコードがあるが、ＱＲコードの場合であれば、カメラ有効画素数３０万画素以上、好ましくは１００万画素以上、記録画素数３０万画素以上、好ましくは１００万画素以上のカメラであれば、画像コード読取装置１１として機能する。【００２５】
一時記憶装置１３は、画像コード読取装置１１から読み取られたコードや、画像コード解読手段１０ｂで得られるコードを一時保存するための記憶装置である。これらの記憶装置は、例えば、フラッシュＲＡＭ等を採用可能である。【００２６】
そして、画像コード読取型情報端末から送信された編集後のデータは、図１に示す集計サーバ２１において集計処理され、集計処理されたデータは、会場支援サーバ２８に送信され、会場支援サーバ２８は、プロジェクタ２９を駆動・制御し、セミナー会場に設置された大画面表示装置（スクリーン）３０に集計データを表示する。【００２７】
図１の集計サーバ２１は、図３に示すように、入力装置３１、出力装置３２、一時記憶装置３３、処理制御装置（ＣＰＵ）３４、共有情報・個別伝達情報記憶装置３５、集計結果記憶装置３６、解析結果記憶装置３７、ライセンス登録情報記憶装置３９、個人情報記憶装置４１を、その論理的構成として備える。入力装置３１は、キーボード、マウス、有無線通信メディアなどであり、出力装置３２は、液晶ディスプレイ、ＣＲＴディスプレイ、有無線通信メディア等である。処理制御装置（ＣＰＵ）３４は、共有情報処理モジュール３４ａ、個別伝達処理モジュール３４ｂ、ライセンス登録チェックモジュール３４ｃ及び個人情報チェックモジュール３４ｄを、その論理的構成として備える。尚、図３は、集計サーバ２１の論理的構造の概略を示すブロック図であり、現実のハードウェア構成としては、必ずしも一時記憶装置３３、共有情報・個別伝達情報記憶装置３５、集計結果記憶装置３６、解析結果記憶装置３７、ライセンス登録情報記憶装置３９、個人情報記憶装置４１が、それぞれ独立した記憶装置として存在する必要はない。具体的には、磁気テープ装置、光ディスク装置、磁気ディスク装置、半導体メモリ等のいずれかからなる単一の物理的単位（ボリューム）に含まれる複数のファイルとして、一時記憶装置（ファイル）３３、共有情報・個別伝達情報記憶装置（ファイル）３５、集計結果記憶装置（ファイル）３６、解析結果記憶装置（ファイル）３７、ライセンス登録情報記憶装置（ファイル）３９、個人情報記憶装置（ファイル）４１が存在する複数ファイルボリュームの形態でも、単一のボリュームに単一のファイルがそれぞれ格納された単一ボリュームファイルの形態でも、或いは複数のボリュームに跨って単一のファイルが分散して格納された複数ボリュームファイルの形態でも構わない。【００２８】
共有情報処理モジュール３４ａは、共有情報・個別伝達情報記憶装置３５に格納された被集計情報を読み出し、被集計情報を集計処理し、この集計処理の結果を解析処理する論理回路であり、個別伝達情報読み込み回路３４１、回答結果集計処理回路３４２、回答結果解析処理回路３４３、解析結果送信回路３４４を、その論理的構成として備える。共有情報処理モジュール３４ａの個別伝達情報読み込み回路３４１は、個別伝達コードを用いて、個別伝達情報を読み込む論理回路である。回答結果集計処理回路３４２は、共有情報・個別伝達情報記憶装置３５に格納された被集計情報を読み出し、被集計情報を集計処理し、集計結果を集計結果記憶装置３６に格納する論理回路である。回答結果解析処理回路３４３は、集計結果記憶装置３６に格納された集計結果を解析処理し、解析結果を解析結果記憶装置３７に格納する論理回路であり、具体的には、例えば、回答結果の順位、相関性等の解析等の処理する論理回路である。解析結果送信回路３４４は、解析結果を、図１に示した情報処理ネットワーク２６を介して、会場支援サーバ（ＰＣ）２８に送信する処理を実行する論理回路である。個別伝達情報読み込み回路３４１、回答結果集計処理回路３４２、回答結果解析処理回路３４３、解析結果送信回路３４４は、専用のプロセッサをそれぞれ設けたハードウェア構成としても良く、汎用のプロセッサに対し、ソフトウェアによりそれぞれ個別伝達情報読み込み回路３４１、回答結果集計処理回路３４２、回答結果解析処理回路３４３、解析結果送信回路３４４としてその等価な機能を付与しても良い。【００２９】
個別伝達処理モジュール３４ｂは、被集計情報を基礎とするデータ中から個別伝達情報を抽出し、この個別伝達情報により特定の情報端末にこの個別伝達情報を送信する論理回路であり、共有情報関連性判定回路３４５及び個別伝達情報転送回路３４６を、その論理的構成として備える。個別伝達処理モジュール３４ｂの共有情報関連性判定回路３４５は、共有情報への個別伝達情報の読み込みが必要であるか否かを個別伝達コード（図５の符号１５ｆ及び１５ｇ参照。）に含まれた情報を用いて判定する処理を実行する論理回路である。個別伝達情報転送回路３４６は、図１に示した情報処理ネットワーク２６を介して、指定された特定の情報端末に個別伝達情報が送信する処理を実行する論理回路である。「指定された特定の情報端末」とは、例えば、図５に示した「答えられないので関連する条文を教えてください」や「（ａ）から（ｅ）について詳しい説明をしてください」の個別伝達情報の場合は、セミナー会場の講師のＰＣ、又は、セミナー支援スタッフのＰＣ等が該当する。ＰＣはデスクトップ型でもラップトップ型でも構わない。又、「指定された特定の情報端末」は、ＰＣに限定されず、情報処理ネットワーク２６を介して通信可能な情報処理機器であれば良い。したがって、「情報端末」には、例えば、携帯電話、ＰＨＳ、ＰＤＡ、電子手帳や大型コンピュータ等が含まれうる。勿論、「情報端末」が、「画像コード読取型情報端末」であっても構わない。個別伝達処理モジュール３４ｂは、共有情報関連性判定回路３４５及び個別伝達情報転送回路３４６は、専用のプロセッサをそれぞれ設けたハードウェア構成としても良く、汎用のプロセッサに対し、ソフトウェアによりそれぞれ個別伝達処理モジュール３４ｂは、共有情報関連性判定回路３４５及び個別伝達情報転送回路３４６としてその等価な機能を付与しても良い。【００３０】
集計サーバ２１の共有情報・個別伝達情報記憶装置３５は、複数の画像コード読取型情報端末からの情報処理ネットワーク２６を介して送信された、共有情報及び個別伝達情報のそれぞれを、複数の画像コード読取型情報端末の識別番号毎に整理して記憶する記憶装置である。集計サーバ２１の集計結果記憶装置３６は、回答結果集計処理回路３４２が集計処理した回答結果を記憶する記憶装置である。集計サーバ２１の解析結果記憶装置３７は、回答結果解析処理回路３４３が解析処理した回答結果（順位、相関性等）を記憶する記憶装置である。【００３１】
集計サーバ２１のライセンス登録情報記憶装置３９は、ライセンス登録データを記憶する記憶装置である。そして、集計サーバ２１のライセンス登録チェックモジュール３４ｃは、セミナーを開催（若しくは主催）する事業者、又は、会場支援サーバ２８が設置された会場の所有者たる事業者が、本発明の第１の実施の形態に係る情報処理に必要なライセンスを登録するのに必要な処理を行う論理回路である。即ち、ライセンス登録チェックモジュール３４ｃは、ライセンス登録情報記憶装置３９に、第１の実施の形態に係る情報処理が可能な事業者のライセンス情報を登録する。更に、ライセンス登録チェックモジュール３４ｃは、ライセンス登録情報記憶装置３９を参照して、会場支援サーバ２８がライセンス登録されているか否かを判断する処理を行う論理回路である。即ち、集計サーバ２１は、ライセンス登録チェックモジュール３４ｃにより、ライセンスを登録した会場支援サーバ２８のみを接続可能とする。【００３２】
集計サーバ２１の個人情報記憶装置４１は、個人認証データを記憶する記憶装置である。集計サーバ２１の個人情報チェックモジュール３４ｄは、画像コード読取型情報端末の持ち主が、ユーザ登録を行うのに必要な処理を行う論理回路である。個人情報チェックモジュール３４ｄは、個人認証用データを、個人情報記憶装置４１に保存し、個人情報データを個人情報記憶装置４１に記憶する。個人情報チェックモジュール３４ｄは、情報処理を行おうとする画像コード読取型情報端末から個人情報の依頼が受信された場合、登録済みのユーザなのかどうか、個人情報記憶装置４１を参照して、認証を行うために必要な処理を行う論理回路である。但し、本発明の第１の実施の形態に係る情報処理システムにおいては、会場支援サーバ２８がライセンス登録されていれば、画像コード読取型情報端末の所有者が、登録済みのユーザであるか否かを問わない方式も可能である。ライセンス登録チェックモジュール３４ｃ及び個人情報チェックモジュール３４ｄは、専用のプロセッサをそれぞれ設けたハードウェア構成としても良く、汎用のプロセッサに対し、ソフトウェアによりそれぞれライセンス登録チェックモジュール３４ｃ及び個人情報チェックモジュール３４ｄとしてその等価な機能を付与しても良い。【００３３】
本発明の第１の実施の形態に係る情報処理システムによれば、光学的に画像コードを読み取るという簡単な操作を介して、全員に集計結果を瞬時に表示する共有情報コミュニケーションシステムと、特定の情報端末を選択し個別に情報を提供する個別情報コミュニケーションシステムを、相互に関連させつつ、リアルタイムに並列処理させ、且つ使い分けることが可能になり、更に、集計サーバの処理能力の負担をも軽減することが可能になる。特に、上級者（レベル１）、中級者（レベル２）及び初心者（レベル３）という学習レベルの異なる参加者（受験者）が同時に参加した模擬試験形式のセミナーであっても、各人の学習レベルに適合した教育と、全体的な統計処理を同時に進行させることが可能になるので、教育上極めて効率的である。【００３４】
−情報処理方法−
図１〜図３を参照しながら、図４に示したフローチャートを用いて、本発明の第１の実施の形態に係る情報処理方法を説明する。この情報処理方法は、上級者（レベル１）、中級者（レベル２）及び初心者（レベル３）の参加者（受験者）が混在した模擬試験形式のセミナーでの情報処理に関するものである。但し、以下の説明は、一例であり、この変形例を含めて、これ以外の種々の情報処理方法に適用可能であることは勿論である。尚、図４のステップＳ１０１の前に、図３に示した集計サーバ２１のライセンス登録チェックモジュール３４ｃを用いて、ライセンス登録情報記憶装置３９に、第１の実施の形態に係る情報処理が可能な事業者のライセンス情報を登録済みであるものとする。又、集計サーバ２１の個人情報チェックモジュール３４ｄにより、既に、画像コード読取型情報端末の持ち主が個人認証用データを個人情報記憶装置４１に保存し、ユーザ登録されているものとする。但し、本発明の第１の実施の形態に係る情報処理方法では、会場支援サーバ２８がライセンス登録されていれば、画像コード読取型情報端末の所有者が、登録済みのユーザであるか否かを問わない方式も可能であるので、その場合は、個人認証用データが個人情報記憶装置４１に保存されている必要はない。【００３５】
（ａ）ステップＳ１０１において、図５に示すような、質問と対応する回答（選択肢）及びそれを反映した集計用選択コード１５ａ，１５ｂ，・・・・・，１５ｅが並列表記された印刷物１４が用意され、これが、セミナー参加者（受験者）にそれぞれ配布される。図５では、（１）〜（５）の５つの回答に対応して５つの集計用選択コード１５ａ，１５ｂ，・・・・・，１５ｅを例示しているが、はい（ＹＥＳ）／いいえ（ＮＯ）の２択でも良く、６つ以上の選択肢でも構わない。図５に示すように、印刷物１４には、更に、（Ａ）及び（Ｂ）の２つの個別伝達情報が、対応する複数の（この例では２つの）個別伝達コード１５ｆ，１５ｇとともに印刷されている。尚、図５では、集計用選択コード１５ａ，１５ｂ，・・・・・，１５ｅ、個別伝達コード１５ｆ，１５ｇとして、ＱＲコードを例示したが、集計用選択コード１５ａ，１５ｂ，・・・・・，１５ｅ、個別伝達コード１５ｆ，１５ｇはＱＲコードに限定されるものではない。特に情報量（データ量）が少なくて良い場合は、切り出しシンボルが１つのマイクロＱＲコードを用いれば、集計用選択コード１５ａ，１５ｂ，・・・・・，１５ｅ、個別伝達コード１５ｆ，１５ｇの占有する面積を、切り出しシンボルが３つのＱＲコードに比して小さくできる。又、ＱＲコード以外のデータ・マトリクス，ＰＤＦ４１７，マキシコード、ベリコード等種々の二次元コードが使用可能であり、更には、図形、一次元コード、一次元コードと二次元コードとの組み合わせ等の画像コードでも良いことは勿論である。いずれにせよこれらの種々の画像コードには、集計用選択コード１５ａ，１５ｂ，・・・・・，１５ｅ、個別伝達コード１５ｆ，１５ｇとしてのメタデータと共に、アクション情報が埋め込まれている。個別伝達コード１５ｆ，１５ｇは、この例では２種類であるが、３種類以上の個別伝達コードを用い、３種類以上の互いに異なるメタデータを用いても良い。【００３６】
（ｂ）次に、図４のステップＳ１１１において、それぞれのセミナー参加者（受験者）は、図５に示した（１）〜（５）の５つの回答の内から、自己が正しいと判断する回答に添付された集計用選択コード１５ａ，１５ｂ，・・・・・，１５ｅのいずれかを、画像コード読取型情報端末の画像コード読取装置１１（図２参照。）を用いて光学的に読み取る。このセミナーは、上級者（レベル１）、中級者（レベル２）及び初心者（レベル３）の参加者（受験者）が混在しているので、（１）〜（５）の５つの選択肢の内から回答を選択することができなかったセミナー参加者（受験者）は、図４のステップＳ１２１において、そのレベルに応じて個別伝達コード１５ｆ，１５ｇのいずれかを選択する。即ち、レベル２（中級者レベル回答オプション）の「答えられないので関連する条文を教えてください」に添付された個別伝達コード（第１カンニングコード）１５ｆ、又は、レベル３（初心者レベル回答オプション）の「（ａ）から（ｅ）について詳しい説明をしてください」に添付された個別伝達コード（第２カンニングコード）１５ｇを画像コード読取型情報端末の画像コード読取装置１１を用いて光学的に読み取る。尚、（Ａ）及び（Ｂ）の２つの個別伝達情報（カンニングコード）を用いず、５つの選択肢の内から直ちに回答を選択できたセミナー参加者（受験者）はレベル１（上級者レベル）になる。尚、図５には、１０番目の問題（Ｑ１０）について例示しているが、例えば、図５の形式で、第１問（Ｑ１）から第５０問（Ｑ５０）が用意されているものとする。この例では、上級者（レベル１）、中級者（レベル２）及び初心者（レベル３）の３つのレベルの参加者（受験者）を想定しているため２種類の個別伝達コードであるが、更に４レベル以上に学習レベルを細分化しても良く、その場合は、互いに異なるメタデータを埋め込んだ３種類以上の個別伝達コードを採用する態様が採用可能となることは勿論である。【００３７】
（ｃ）その後、図４のステップＳ１１２において、画像コード読取装置１１が読み取った集計用選択コード１５ａ，１５ｂ，・・・・・，１５ｅのいずれかを、画像コード読取型情報端末の画像コード解読手段１０ｂが解読（デコード）し、更にステップＳ１１３において、画像コード読取型情報端末のデータ編集手段１０ｃが、読み込まれたアクション情報の命令に従い、集計用選択コード１５ａ，１５ｂ，・・・・・，１５ｅのいずれかと個人情報とをメタレベルで編集する。一方、図４のステップＳ１２２において、画像コード読取装置１１が読み取った個別伝達コード１５ｆ，１５ｇのいずれかを、画像コード解読手段１０ｂが解読（デコード）し、更にステップＳ１２３において、データ編集手段１０ｃが、読み込まれたアクション情報の命令に従い、個別伝達コード１５ｆ，１５ｇのいずれかと個人情報とをメタレベルで編集する。編集された集計用選択コード１５ａ，１５ｂ，・・・・・，１５ｅのいずれか及び個別伝達コード１５ｆ，１５ｇのいずれかは、画像コード読取型情報端末の電話機能制御手段１０ａを用いて、図４のステップＳ１１４において、情報処理ネットワーク２６を介して、「被集計情報」として集計サーバ２１に送信される。集計サーバ２１は、共有情報・個別伝達情報記憶装置３５に送信された、集計用選択コード１５ａ，１５ｂ，・・・・・，１５ｅ及び個別伝達コード１５ｆ，１５ｇを編集された個人情報と共にメタレベルの被集計情報として記憶（格納）する。【００３８】
（ｄ）図４のステップＳ１１５において、集計サーバ２１は、図３に示したライセンス登録チェックモジュール３４ｃを用いて、ライセンス登録情報記憶装置３９に格納されたライセンス情報を読み出し、画像コード読取型情報端末から送られてきた集計用選択コード１５ａ，１５ｂ，・・・・・，１５ｅを共有情報・個別伝達情報記憶装置３５から読み出し、集計用選択コード１５ａ，１５ｂ，・・・・・，１５ｅが、既に登録済みの事業者に関わる集計用選択コードであるか否かのライセンス登録チェックをする。更に、ステップＳ１１６において、集計サーバ２１は、図３に示した個人情報チェックモジュール３４ｄを用いて、個人情報記憶装置４１に格納された個人認証用データを読み出し、個人情報登録チェックを行う（但し、既に説明したように、第１の実施の形態に係る情報処理方法では、会場支援サーバ２８がライセンス登録されていれば、画像コード読取型情報端末の所有者が、登録済みのユーザであるか否かを問わない方式も可能であるので、その場合は、ステップＳ１１６における個人情報の登録チェックは不要である。）。そして、図３に示した個別伝達処理モジュール３４ｂの共有情報関連性判定回路３４５は、図４のステップＳ１２４において、共有情報への個別伝達情報の読み込みが必要であるか否かを判定する。例えば、レベル１，レベル２及びレベル毎のそれぞれの集計を図３に示した共有情報処理モジュール３４ａが実行する予定であれば、個別伝達コード１５ｆ及び１５ｇに、あらかじめ「個別伝達情報の読み込みが必要である」旨の情報を含ませておく。ステップＳ１２４で、個別伝達情報の読み込みが必要であると判定された場合は、ステップＳ１２５に進む。ステップＳ１２５では、図３に示した共有情報処理モジュール３４ａの個別伝達情報読み込み回路３４１を用いて、個別伝達情報を読み込み、ステップＳ１１７に進む。ステップＳ１２４で、個別伝達情報の読み込みが必要ではないと判定された場合は、ステップＳ１２６に進むが、ステップＳ１２４で個別伝達情報の読み込みが必要であると判定された場合もステップＳ１２６に進む。【００３９】
（ｅ）ステップＳ１２６においては、図３に示した個別伝達処理モジュール３４ｂの個別伝達情報転送回路３４６により、図１に示した情報処理ネットワーク２６を介して、指定された特定の画像コード読取型情報端末に個別伝達情報が送信され、ステップＳ１２７に進む。例えば、図５に示した「答えられないので関連する条文を教えてください」や「（ａ）から（ｅ）について詳しい説明をしてください」の個別伝達情報の場合は、セミナー会場の講師の情報端末（ＰＣ）又は、セミナー支援スタッフの情報端末（ＰＣ）に、送信者の画像コード読取型情報端末の電話番号と共に、個別伝達情報情報が送信される。そして、ステップＳ１２７では、個別通信が開始され、要求した画像コード読取型情報端末に、関連する条文や、（ａ）から（ｅ）について詳しい説明が送信される。関連する条文や、（ａ）から（ｅ）について詳しい説明が送信された画像コード読取型情報端末を持つセミナー参加者（受験者）は、再度送られた情報を参考にして、図４のステップＳ１１１において、図５に示した（１）〜（５）の５つの回答の内から、自己が正しいと判断する回答に添付された集計用選択コード１５ａ，１５ｂ，・・・・・，１５ｅのいずれかを、画像コード読取型情報端末の画像コード読取装置１１（図２参照。）を用いて光学的に読み取り、ステップＳ１１２〜ステップＳ１１６の各ステップを辿る。【００４０】
（ｆ）ステップＳ１１７においては、図３に示した共有情報処理モジュール３４ａの回答結果集計処理回路３４２を用いて、共有情報・個別伝達情報記憶装置３５から回答結果を被集計情報として読み出し、読み出した被集計情報（回答結果）を集計処理する。この際、ステップＳ１２５で個別伝達情報も読み込まれている場合は、個別伝達情報に従い、例えば、レベル毎の回答結果の集計も実行し、集計結果を集計結果記憶装置３６に格納した後、ステップＳ１１８に進む。ステップＳ１１８では、図３に示した共有情報処理モジュール３４ａの回答結果解析処理回路３４３を用いて、集計結果記憶装置３６から集計結果を読み出し、読み出した集計結果から、回答結果の順位、相関性等の解析処理を実行する。この際、ステップＳ１２５で個別伝達情報も読み込まれている場合は、個別伝達情報に従い、例えば、レベル毎の解析処理を実行し、解析結果を解析結果記憶装置３７に格納した後、ステップＳ１１９に進む。ステップＳ１１９では、図３に示した共有情報処理モジュール３４ａの解析結果送信回路３４４を用いて、解析結果記憶装置３７に格納された解析結果を読み出し、読み出した解析結果を、図１に示した情報処理ネットワーク２６を介して、会場支援サーバ（ＰＣ）２８に送信し、ステップＳ１２０に進む。ステップＳ１２０では、図１に示した会場支援サーバ（ＰＣ）２８により、図６に示すように、セミナー会場の大画面表示装置（スクリーン）３０に全体表示し、セミナー講師がその内容を解説する。この際、ステップＳ１２５で個別伝達情報も読み込まれている場合は、個別伝達情報に従い、例えば、上級者（レベル１）、中級者（レベル２）及び初心者（レベル３）のレベル毎の順位、相関性等が、画面表示装置（スクリーン）３０に表示される。【００４１】
本発明の第１の実施の形態に係る情報処理方法によれば、光学的に画像コードを読み取るという簡単な操作を介して、全員に集計結果を瞬時に表示する共有情報コミュニケーションシステムと、特定の情報端末を選択し個別に情報を提供する個別情報コミュニケーションシステムを、相互に関連させつつ、リアルタイムに並列処理させ、且つ使い分けることが可能になり、更に、集計サーバの処理能力の負担をも軽減することが可能になる。特に、上級者（レベル１）、中級者（レベル２）及び初心者（レベル３）という学習レベルの異なる参加者（受験者）が同時に参加した模擬試験形式のセミナーであっても、合法的な情報提供（カンニング）をリアルタイムで個別に実施することが可能であり、これにより、各人の学習レベルに適合した教育と、全体的な統計処理を同時に進行させることが可能になるので、教育上極めて効率的である。【００４２】
（第２の実施の形態）
−情報処理システム−
図７に示すように、本発明の第２の実施の形態に係る情報処理システムは、第１の実施の形態に係る情報処理システムで説明したインターネット等の情報処理ネットワーク（通信ネットワーク）２６と、情報処理ネットワーク２６に接続された会場支援サーバ２８と、集計サーバ２１と、中継装置２２に加え、抽選による商品の発送若しくは役務を提供する事業者の事業者サーバ２０が情報処理ネットワークに接続された抽選同時進行型セミナー支援システムである。【００４３】
会場支援サーバ（ＰＣ）２８には、第１の実施の形態に係る情報処理システムと同様に、プロジェクタ２９が接続され、プロジェクタ２９は、セミナー会場に設置された大画面表示装置（スクリーン）３０に必要な情報を表示する。【００４４】
第１の実施の形態に係る情報処理システムと同様に、図示を省略しているが、本発明の第２の実施の形態に係る情報処理システムにおいても、セミナー参加者は、それぞれ画像コード読取型情報端末を持参している。そして、セミナー参加者は、アンケート調査の結果等の情報を大画面表示装置（スクリーン）３０を介して、セミナー講師から説明を受けるものとする。画像コード読取型情報端末は、図７に示すデジタル通信網２７を介して情報処理ネットワーク２６に接続されている。尚、便宜上、第２の実施の形態に係る情報処理システムでは、複数（多数）の画像コード読取型情報端末が、携帯電話であるとして説明するが、「画像コード読取型情報端末」は携帯電話に限定されるものではないことは、第１の実施の形態に係る情報処理システムと同様である。又、第１の実施の形態に係る情報処理システムと同様に、デジタル通信網２７は、情報処理ネットワーク２６と直接連結を持つ中継装置２２に加え、中継装置２２に接続された交換機２３と、交換機２３に接続された中継機２４により構成されるとしているが、この構成に限定されるものではない。更に、本発明の第２の実施の形態に係る情報処理システムに用いられる画像コード読取型情報端末は、第１の実施の形態に係る情報処理システムにおいて図２を用いて説明した通りであるから、重複した説明を省略する。そして、画像コード読取型情報端末から送信された編集後のデータは、図７に示す集計サーバ２１において集計処理され、集計処理されたデータは、会場支援サーバ２８に送信され、会場支援サーバ２８は、プロジェクタ２９を駆動・制御し、セミナー会場に設置された大画面表示装置（スクリーン）３０に集計データを表示する。【００４５】
図７の集計サーバ２１は、図８に示すように、入力装置３１、出力装置３２、処理制御装置（ＣＰＵ）３４、共有情報・個別伝達情報記憶装置３５、集計結果記憶装置３６、解析結果記憶装置３７、抽選結果記憶装置３８、ライセンス登録情報記憶装置３９、個人情報記憶装置４１を、その論理的構成として備える。処理制御装置（ＣＰＵ）３４は、共有情報処理モジュール３４ａ、個別伝達処理モジュール３４ｂ、ライセンス登録チェックモジュール３４ｃ及び個人情報チェックモジュール３４ｄを、その論理的構成として備える。共有情報処理モジュール３４ａは、回答結果集計処理回路３４２、回答結果解析処理回路３４３、解析結果送信回路３４４を、その論理的構成として備えるが、回答結果集計処理回路３４２、回答結果解析処理回路３４３、解析結果送信回路３４４の機能や構成は、第１の実施の形態に係る情報処理システムと同様であるので、重複した説明を省略する。【００４６】
個別伝達処理モジュール３４ｂは、被集計情報を基礎とするデータ中から個別伝達情報を抽出し、この個別伝達情報により特定の情報端末にこの個別伝達情報を送信する論理回路である点では第１の実施の形態に係る情報処理システムと同様であるが、具体的には、抽選回路３４７、第１抽選結果送信回路３４８、第２抽選結果送信回路３４９を、その論理的構成として備え、この点で第１の実施の形態に係る情報処理システムとは、異なる構成である。抽選回路３４７は、集計用選択コードに含まれた抽選用情報を共有情報・個別伝達情報記憶装置３５から読み出し、この抽選用情報を用いて、抽選を実施し、抽選結果を、抽選結果記憶装置３８に格納する論理回路である。第１抽選結果送信回路３４８は、抽選結果記憶装置３８に格納された抽選結果を読み出し、対応する情報端末（画像コード読取型情報端末）に、図７に示した情報処理ネットワーク２６を介して、抽選結果を送信する処理を実行する論理回路である。【００４７】
第２抽選結果送信回路３４９は、抽選結果記憶装置３８に格納された抽選結果を読み出し、抽選による商品の発送若しくは役務を提供する事業者の事業者サーバ２０に情報処理ネットワーク２６を介して、抽選結果を送信する処理を実行する論理回路である。【００４８】
集計サーバ２１のライセンス登録情報記憶装置３９は、ライセンス登録データを記憶する記憶装置であるが、集計サーバ２１のライセンス登録チェックモジュール３４ｃは、セミナーを開催（若しくは主催）する事業者、又は、会場支援サーバ２８が設置された会場の所有者たる事業者と、抽選による商品の発送若しくは役務を提供する事業者の双方が、本発明の第２の実施の形態に係る情報処理に必要なライセンスを登録するのに必要な処理を行う論理回路である。即ち、ライセンス登録チェックモジュール３４ｃは、ライセンス登録情報記憶装置３９に、第２の実施の形態に係る情報処理に必要なそれぞれの事業者のライセンス情報を登録する。つまり、ライセンス登録チェックモジュール３４ｃは、ライセンス登録情報記憶装置３９を参照して、会場支援サーバ２８及び事業者サーバ２０がライセンス登録されているか否かを判断する処理を行う論理回路である。即ち、集計サーバ２１は、ライセンス登録チェックモジュール３４ｃにより、ライセンスを登録した会場支援サーバ２８及び事業者サーバ２０のみを接続可能とする。【００４９】
集計サーバ２１の個人情報記憶装置４１及び個人情報チェックモジュール３４ｄは、第１の実施の形態に係る情報処理システムで説明したと同様な画像コード読取型情報端末の持ち主が、ユーザ登録を行うのに必要な処理を行うための記憶装置及び論理回路であり、重複した説明を省略する。又、入力装置３１、出力装置３２、共有情報・個別伝達情報記憶装置３５、集計結果記憶装置３６、解析結果記憶装置３７等の他の構成は、第１の実施の形態に係る情報処理システムと実質的に同様であるので、重複した説明を省略する。【００５０】
本発明の第２の実施の形態に係る情報処理システムによれば、光学的に画像コードを読み取るという簡単な操作を介して、全員に集計結果を瞬時に表示する共有情報コミュニケーションシステムと、特定の情報端末を選択し個別に情報を提供する個別情報コミュニケーションシステムを、相互に関連させつつ、リアルタイムに並列処理させ、且つ使い分けることが可能になり、更に、集計サーバの処理能力の負担をも軽減することが可能になる。特に質問（アンケート）に対する回答の集計を瞬時に行い、集計結果やその解析結果を全員に表示する共有情報コミュニケーションシステムと、質問（アンケート）の回答者の中から当選者を選び、当選者に通知する個別情報コミュニケーションをリアルタイムに同時に進行させることが可能である。【００５１】
−情報処理方法−
図７及び図８を参照しながら、図９に示したフローチャートを用いて、本発明の第２の実施の形態に係る情報処理方法を説明する。但し、以下の説明は、一例であり、この変形例を含めて、これ以外の種々の情報処理方法に適用可能であることは勿論である。尚、図９のステップＳ２０１の前に、図８に示した集計サーバ２１のライセンス登録チェックモジュール３４ｃを用いて、ライセンス登録情報記憶装置３９に、第２の実施の形態に係る情報処理を実施する複数の事業者のライセンス情報が、それぞれ登録済みであるものとする。又、集計サーバ２１の個人情報チェックモジュール３４ｄにより、既に、画像コード読取型情報端末の持ち主が個人認証用データを個人情報記憶装置４１に保存し、ユーザ登録されているものとする。【００５２】
（ａ）ステップＳ２０１において、質問（アンケート）と対応する回答（選択肢）及びそれを反映した集計用選択コードが並列表記された印刷物が用意され、これが、セミナー参加者にそれぞれ配布される。図５と同様に、５択でも良く、はい（ＹＥＳ）／いいえ（ＮＯ）の２択でも良く、３択、４択、或いは６択以上の選択肢でも構わない。但し、集計用選択コードには、更に、個別伝達情報としての抽選用情報が含まれているものとする。【００５３】
（ｂ）次に、図９のステップＳ２０２において、それぞれのセミナー参加者は、複数の回答（選択肢）の内から、自己が適切と思う回答を、その回答（選択肢）に添付された集計用選択コードのいずれかを、画像コード読取型情報端末の画像コード読取装置１１（図２参照。）を用いて光学的に読み取ることにより選択する。その後、図９のステップＳ２０３において、画像コード読取装置１１が読み取った集計用選択コードのいずれかを、画像コード読取型情報端末の画像コード解読手段１０ｂが解読（デコード）し、更にステップＳ２０４において、画像コード読取型情報端末のデータ編集手段１０ｃが、読み込まれたアクション情報の命令に従い、集計用選択コードのいずれかと個人情報とをメタレベルで編集する。編集された集計用選択コードは、画像コード読取型情報端末の電話機能制御手段１０ａを用いて、図９のステップＳ２０５において、情報処理ネットワーク２６を介して、メタレベルの被集計情報として集計サーバ２１に送信される。集計サーバ２１は、送られてきた集計用選択コードの情報を、メタレベルの被集計情報として共有情報・個別伝達情報記憶装置３５に格納する。【００５４】
（ｃ）図９のステップＳ２０６において、集計サーバ２１は、図８に示したライセンス登録チェックモジュール３４ｃを用いて、ライセンス登録情報記憶装置３９に格納されたライセンス情報を読み出し、画像コード読取型情報端末から送られてきた集計用選択コードを被集計情報として共有情報・個別伝達情報記憶装置３５から読み出し、読み出した集計用選択コードが、既に登録済みの事業者に関わる集計用選択コードであるか否かのライセンス登録チェックをする。更に、ステップＳ２０７において、集計サーバ２１は、図８に示した個人情報チェックモジュール３４ｄを用いて、個人情報記憶装置４１に格納された個人認証用データを読み出し、個人情報登録チェックを行う。【００５５】
（ｄ）ステップＳ２１１においては、図８に示した共有情報処理モジュール３４ａの回答結果集計処理回路３４２を用いて、被集計情報（アンケートの回答結果）を集計処理し、集計結果を集計結果記憶装置３６に格納後、ステップＳ２１２に進む。ステップＳ２１２では、図８に示した共有情報処理モジュール３４ａの回答結果解析処理回路３４３を用いて、集計結果記憶装置３６から集計結果を読み出し、アンケートの回答結果の順位、相関性等の解析処理を実行し、解析結果を解析結果記憶装置３７に格納後、ステップＳ２１３に進む。ステップＳ２１３では、図８に示した共有情報処理モジュール３４ａの解析結果送信回路３４４を用いて、解析結果記憶装置３７から解析結果を読み出し、解析結果を、図７に示した情報処理ネットワーク２６を介して、会場支援サーバ（ＰＣ）２８に送信し、ステップＳ２１４に進む。ステップＳ２１４では、図７に示した会場支援サーバ（ＰＣ）２８により、図６に示したと同様に、セミナー会場の大画面表示装置（スクリーン）３０に全体表示し、セミナー講師がその内容を解説する。【００５６】
（ｅ）一方、ステップＳ２２１においては、図８に示した個別伝達処理モジュール３４ｂの抽選回路３４７が、共有情報・個別伝達情報記憶装置３５に格納された集計用選択コードを読み出し、集計用選択コードに含まれた個別伝達情報としての抽選用情報を抽出し、抽選用情報を用いて、抽選を実施する。抽選結果は、抽選結果記憶装置３８に格納し、ステップＳ２２２に進む。ステップＳ２２２では、個別伝達処理モジュール３４ｂの第１抽選結果送信回路３４８により、指定された特定の携帯情報端末に、抽選結果（アタリ／ハズレ）を送信し、ステップＳ２２３に進む。ステップＳ２２３では、個別伝達処理モジュール３４ｂの第２抽選結果送信回路３４９により、抽選による商品の発送若しくは役務を提供する事業者の事業者サーバ２０に抽選結果（アタリ／ハズレ）を送信する。この場合、当選者のみの情報を事業者サーバ２０に送信するようにしても良い。【００５７】
本発明の第２の実施の形態に係る情報処理方法によれば、光学的に画像コードを読み取るという簡単な操作を介して、全員に集計結果を瞬時に表示する共有情報コミュニケーションシステムと、特定の情報端末を選択し個別に情報を提供する個別情報コミュニケーションシステムを、相互に関連させつつ、リアルタイムに並列処理させ、且つ使い分けることが可能になり、更に、集計サーバの処理能力の負担をも軽減することが可能になる。特に質問（アンケート）に対する回答の集計を瞬時に行い、集計結果やその解析結果を全員に表示する共有情報コミュニケーションシステムと、質問（アンケート）の回答者の中から当選者を選び、当選者に通知する個別情報コミュニケーションをリアルタイムに同時に進行させることが可能である。【００５８】
（第２の実施の形態の変形例）
−情報処理システム−
図１０に示すように、本発明の第２の実施の形態の変形例に係る情報処理システムは、インターネット等の情報処理ネットワーク（通信ネットワーク）２６と、情報処理ネットワーク２６に接続された会場支援サーバ２８と、共有情報処理モジュール３４ａを、その論理的構成として備える第１集計サーバ２１ａと、個別伝達処理モジュール３４ｂを、その論理的構成として備える第２集計サーバ２１ｂと、抽選による商品の発送若しくは役務を提供する事業者の事業者サーバ２０と、携帯電話用の中継装置２２を備える抽選同時進行型セミナー支援システムである。【００５９】
図１０に示す第２の実施の形態の変形例に係る情報処理システムは、図７及び図８に示した第２の実施の形態に係る情報処理システムの第１集計サーバ２１が備える共有情報処理モジュール３４ａと個別伝達処理モジュール３４ｂとをそれぞれ、第１集計サーバ２１ａと第２集計サーバ２１ｂに分散したシステムに対応する。即ち、
図１０の第１集計サーバ２１ａは、図１１に示すように、入力装置３１、出力装置３２、処理制御装置（ＣＰＵ）３４−１、共有情報記憶装置３５ａ、集計結果記憶装置３６、解析結果記憶装置３７、ライセンス登録情報記憶装置３９、個人情報記憶装置４１を、その論理的構成として備える。処理制御装置（ＣＰＵ）３４−１は、共有情報処理モジュール３４ａ、ライセンス登録チェックモジュール３４ｃ及び個人情報チェックモジュール３４ｄを、その論理的構成として備える。共有情報処理モジュール３４ａは、回答結果集計処理回路３４２、回答結果解析処理回路３４３、解析結果送信回路３４４を、その論理的構成として備えるが、回答結果集計処理回路３４２、回答結果解析処理回路３４３、解析結果送信回路３４４の機能や構成は、第１及び第２の実施の形態に係る情報処理システムと同様であるので、重複した説明を省略する。【００６０】
第１集計サーバ２１ａのライセンス登録情報記憶装置３９は、ライセンス登録データを記憶する記憶装置であるが、第１集計サーバ２１ａのライセンス登録チェックモジュール３４ｃは、セミナーを開催（若しくは主催）する事業者、又は、会場支援サーバ２８が設置された会場の所有者たる事業者と、抽選による商品の発送若しくは役務を提供する事業者の双方が、本発明の第２の実施の形態の変形例に係る情報処理に必要なライセンスを登録するのに必要な処理を行う論理回路である。即ち、ライセンス登録チェックモジュール３４ｃは、ライセンス登録情報記憶装置３９に、第２の実施の形態の変形例に係る情報処理に必要なそれぞれの事業者のライセンス情報を登録する。つまり、ライセンス登録チェックモジュール３４ｃは、ライセンス登録情報記憶装置３９を参照して、会場支援サーバ２８及び事業者サーバ２０がライセンス登録されているか否かを判断する処理を行う論理回路である。即ち、第１集計サーバ２１ａは、ライセンス登録チェックモジュール３４ｃにより、ライセンスを登録した会場支援サーバ２８及び事業者サーバ２０のみを接続可能とする。【００６１】
第１集計サーバ２１ａの個人情報記憶装置４１及び個人情報チェックモジュール３４ｄは、第１及び第２の実施の形態に係る情報処理システムで説明したと同様な画像コード読取型情報端末の持ち主が、ユーザ登録を行うのに必要な処理を行うための記憶装置及び論理回路であり、重複した説明を省略する。又、入力装置３１、出力装置３２、共有情報記憶装置３５ａ、集計結果記憶装置３６、解析結果記憶装置３７等の他の構成は、第１及び第２の実施の形態に係る情報処理システムと実質的に同様であるので、重複した説明を省略する。【００６２】
一方、第２集計サーバ２１ｂは、図１２に示すように、入力装置３１、出力装置３２、処理制御装置（ＣＰＵ）３４−２、個別伝達情報記憶装置３５ｂ、ライセンス登録情報記憶装置３９、個人情報記憶装置４１を、その論理的構成として備える。処理制御装置（ＣＰＵ）３４−２は、個別伝達処理モジュール３４ｂ、ライセンス登録チェックモジュール３４ｃ及び個人情報チェックモジュール３４ｄを、その論理的構成として備える。個別伝達処理モジュール３４ｂは、図８を用いて説明したように、抽選回路３４７、第１抽選結果送信回路３４８、第２抽選結果送信回路３４９を、その論理的構成として備える。抽選回路３４７は、集計用選択コードに含まれた抽選用情報を個別伝達情報記憶装置３５ｂから読み出し、この抽選用情報を用いて、抽選を実施し、抽選結果を、抽選結果記憶装置３８に格納する論理回路である。第１抽選結果送信回路３４８は、抽選結果記憶装置３８に格納された抽選結果を読み出し、対応する情報端末（画像コード読取型情報端末）に、図１０に示した情報処理ネットワーク２６を介して、抽選結果を送信する処理を実行する論理回路である。【００６３】
第２抽選結果送信回路３４９は、抽選結果記憶装置３８に格納された抽選結果を読み出し、抽選による商品の発送若しくは役務を提供する事業者の事業者サーバ２０に情報処理ネットワーク２６を介して、抽選結果を送信する処理を実行する論理回路である。【００６４】
第２集計サーバ２１ｂのライセンス登録情報記憶装置３９は、ライセンス登録データを記憶する記憶装置であるが、第２集計サーバ２１ｂのライセンス登録チェックモジュール３４ｃは、セミナーを開催（若しくは主催）する事業者、又は、会場支援サーバ２８が設置された会場の所有者たる事業者と、抽選による商品の発送若しくは役務を提供する事業者の双方が、本発明の第２の実施の形態の変形例に係る情報処理に必要なライセンスを登録するのに必要な処理を行う論理回路である。即ち、ライセンス登録チェックモジュール３４ｃは、ライセンス登録情報記憶装置３９に、第２の実施の形態の変形例に係る情報処理に必要なそれぞれの事業者のライセンス情報を登録する。【００６５】
第２集計サーバ２１ｂの個人情報記憶装置４１及び個人情報チェックモジュール３４ｄは、第１及び第２の実施の形態に係る情報処理システムで説明したと同様な画像コード読取型情報端末の持ち主が、ユーザ登録を行うのに必要な処理を行うための記憶装置及び論理回路であり、重複した説明を省略する。又、入力装置３１、出力装置３２、個別伝達情報記憶装置３５ｂ等の他の構成は、第１及び第２の実施の形態に係る情報処理システムと実質的に同様であるので、重複した説明を省略する。【００６６】
本発明の第２の実施の形態の変形例に係る情報処理システムによれば、第１集計サーバと第２集計サーバを用い、光学的に画像コードを読み取るという簡単な操作を介して、全員に集計結果を瞬時に表示する共有情報コミュニケーションシステムと、特定の情報端末を選択し個別に情報を提供する個別情報コミュニケーションシステムを、相互に関連させつつ、リアルタイムに並列処理させ、且つ使い分けることが可能になり、更に、第１集計サーバと第２集計サーバのそれぞれの処理能力の負担をも軽減することが可能になる。特に質問（アンケート）に対する回答の集計を瞬時に行い、集計結果やその解析結果を全員に表示する第１集計サーバを用いた共有情報コミュニケーションシステムと、質問（アンケート）の回答者の中から当選者を選び、当選者に通知する第２集計サーバを用いた個別情報コミュニケーションをリアルタイムに同時に進行させることが可能である。【００６７】
−情報処理方法−
図１０〜図１２を参照しながら、図１３に示したフローチャートを用いて、本発明の第２の実施の形態の変形例に係る情報処理方法を説明する。但し、以下の説明は、一例であり、この変形例を含めて、これ以外の種々の情報処理方法に適用可能であることは勿論である。尚、図１３のステップＳ３０１の前に、第１集計サーバ２１ａ及び第２集計サーバ２１ｂのそれぞれのライセンス登録チェックモジュール３４ｃを用いて、それぞれのライセンス登録情報記憶装置３９に、第２の実施の形態の変形例に係る情報処理を実施する複数の事業者のライセンス情報が、それぞれ登録済みであるものとする。又、第１集計サーバ２１ａ及び第２集計サーバ２１ｂのそれぞれの個人情報チェックモジュール３４ｄにより、既に、画像コード読取型情報端末の持ち主が個人認証用データをそれぞれの個人情報記憶装置４１に保存し、ユーザ登録されているものとする。【００６８】
（ａ）ステップＳ３０１において、質問（アンケート）と対応する回答（選択肢）及びそれを反映した集計用選択コードが並列表記された印刷物が用意され、これが、セミナー参加者にそれぞれ配布される。図５と同様に、５択でも良く、２択、３択、４択、或いは６択以上の選択肢でも構わない。但し、集計用選択コードには、更に、個別伝達情報としての抽選用情報が含まれているものとする。【００６９】
（ｂ）次に、図１３のステップＳ３０２において、それぞれのセミナー参加者は、複数の回答（選択肢）の内から、自己が適切と思う回答を、その回答（選択肢）に添付された集計用選択コードのいずれかを、画像コード読取型情報端末の画像コード読取装置１１（図２参照。）を用いて光学的に読み取ることにより選択する。その後、図１３のステップＳ３０３において、画像コード読取装置１１が読み取った集計用選択コードのいずれかを、画像コード読取型情報端末の画像コード解読手段１０ｂが解読（デコード）し、更にステップＳ３０４において、画像コード読取型情報端末のデータ編集手段１０ｃが、読み込まれたアクション情報の命令に従い、集計用選択コードのいずれかと個人情報とをメタレベルで編集する。編集された集計用選択コードは、画像コード読取型情報端末の電話機能制御手段１０ａを用いて、図１３のステップＳ３１１において、情報処理ネットワーク２６を介して、第１集計サーバ２１に接続され、ステップＳ３２１において、情報処理ネットワーク２６を介して、第２集計サーバ２１ｂに接続される。第１集計サーバ２１ａは、送られてきた集計用選択コードの情報を、共有情報記憶装置３５ａに格納し、第２集計サーバ２１ｂは、送られてきた集計用選択コードに含まれる個別伝達情報（抽選用情報）を、個別伝達情報記憶装置３５ｂに格納する。【００７０】
（ｃ）第１集計サーバ２１ａは、送られてきた集計用選択コードの情報を、共有情報記憶装置３５ａに格納し、第２集計サーバ２１ｂは、送られてきた集計用選択コードに含まれる個別伝達情報（抽選用情報）を、個別伝達情報記憶装置３５ｂに格納する。そして、図１３のステップＳ３１２において、第１集計サーバ２１ａは、図１１に示したライセンス登録チェックモジュール３４ｃを用いて、ライセンス登録情報記憶装置３９に格納されたライセンス情報を読み出し、画像コード読取型情報端末から送られてきた集計用選択コードが、既に登録済みの事業者に関わる集計用選択コードであるか否かのライセンス登録チェックをする。更に、ステップＳ３１３において、第１集計サーバ２１ａは、図１１に示した個人情報チェックモジュール３４ｄを用いて、個人情報記憶装置４１に格納された個人認証用データを読み出し、個人情報登録チェックを行う。【００７１】
（ｄ）一方、図１３のステップＳ３２２において、第２集計サーバ２１ｂは、図１２に示したライセンス登録チェックモジュール３４ｃを用いて、ライセンス登録情報記憶装置３９に格納されたライセンス情報を読み出し、画像コード読取型情報端末から送られてきた集計用選択コードが、既に登録済みの事業者に関わる集計用選択コードであるか否かのライセンス登録チェックをする。更に、ステップＳ３２３において、第２集計サーバ２１ｂは、図１２に示した個人情報チェックモジュール３４ｄを用いて、個人情報記憶装置４１に格納された個人認証用データを読み出し、個人情報登録チェックを行う。【００７２】
（ｅ）ステップＳ３１４においては、図１１に示した共有情報処理モジュール３４ａの回答結果集計処理回路３４２を用いて、被集計情報（アンケートの回答結果）を集計処理し、集計結果を集計結果記憶装置３６に格納後、ステップＳ３１５に進む。ステップＳ３１５では、共有情報処理モジュール３４ａの回答結果解析処理回路３４３を用いて、回答結果を解析し、順位や相関性を求め、ステップＳ３１６に進む。ステップＳ３１６では、図１１に示した共有情報処理モジュール３４ａの解析結果送信回路３４４を用いて、回答結果解析処理回路３４３による解析結果を、図１０に示した情報処理ネットワーク２６を介して、会場支援サーバ（ＰＣ）２８に送信し、ステップＳ３１７に進む。ステップＳ３１７では、図１０に示した会場支援サーバ（ＰＣ）２８により、図６に示したと同様に、セミナー会場の大画面表示装置（スクリーン）３０に全体表示し、セミナー講師がその内容を解説する。【００７３】
（ｆ）一方、ステップＳ３２４においては、図１２に示した個別伝達処理モジュール３４ｂの抽選回路３４７が、個別伝達情報記憶装置３５ｂに格納された抽選用情報を抽出し、抽選用情報を用いて、抽選を実施する。抽選結果は、抽選結果記憶装置３８に格納し、ステップＳ３２５に進む。ステップＳ３２５では、個別伝達処理モジュール３４ｂの第１抽選結果送信回路３４８により、指定された特定の携帯情報端末に、抽選結果（アタリ／ハズレ）を送信し、ステップＳ３２６に進む。ステップＳ３２６では、個別伝達処理モジュール３４ｂの第２抽選結果送信回路３４９により、抽選による商品の発送若しくは役務を提供する事業者の事業者サーバ２０に抽選結果（アタリ／ハズレ）を送信する。この場合、当選者のみの情報を事業者サーバ２０に送信するようにしても良い。【００７４】
本発明の第２の実施の形態の変形例に係る情報処理方法によれば、第１集計サーバと第２集計サーバを用い、光学的に画像コードを読み取るという簡単な操作を介して、全員に集計結果を瞬時に表示する共有情報コミュニケーションシステムと、特定の情報端末を選択し個別に情報を提供する個別情報コミュニケーションシステムを、相互に関連させつつ、リアルタイムに並列処理させ、且つ使い分けることが可能になり、更に、第１集計サーバと第２集計サーバのそれぞれの処理能力の負担をも軽減することが可能になる。特に、質問（アンケート）に対する回答の集計を瞬時に行い、集計結果やその解析結果を全員に表示する第１集計サーバを用いた共有情報コミュニケーションシステムと、質問（アンケート）の回答者の中から当選者を選び、当選者に通知する第２集計サーバを用いた個別情報コミュニケーションをリアルタイムに同時に進行させることが可能である。【００７５】
（第３の実施の形態）
−情報処理システム−
本発明の第３の実施の形態に係る情報処理システムは、概略としては図１に示した第１の実施の形態に係る情報処理システムと基本的に同様なシステム構成で、インターネット等の情報処理ネットワーク（通信ネットワーク）２６と、情報処理ネットワーク２６に接続された会場支援サーバ２８と、集計サーバ２１と、中継装置２２を備えるマッチング並列処理型セミナー支援システムである（図１に示した基本的に同様なシステム構成であるので、システム構成の図示は省略する。）。会場支援サーバ（ＰＣ）２８には、第１の実施の形態に係る情報処理システムと同様に、プロジェクタ２９が接続され、プロジェクタ２９は、セミナー会場に設置された大画面表示装置（スクリーン）３０に必要な情報を表示する。【００７６】
又、第１の実施の形態に係る情報処理システムと同様に、図示を省略しているが、本発明の第３の実施の形態に係る情報処理システムにおいても、セミナー参加者は、それぞれ画像コード読取型情報端末を持参している。そして、セミナー参加者は、アンケート調査の結果等の情報を大画面表示装置（スクリーン）３０を介して、セミナー講師から説明を受けるものとする。画像コード読取型情報端末は、図１に示すデジタル通信網２７を介して情報処理ネットワーク２６に接続されている。尚、便宜上、第３の実施の形態に係る情報処理システムでは、複数（多数）の画像コード読取型情報端末が、携帯電話であるとして説明するが、「画像コード読取型情報端末」は携帯電話に限定されるものではないことは、第１及び第２の実施の形態に係る情報処理システムと同様である。又、第１及び第２の実施の形態に係る情報処理システムと同様に、デジタル通信網２７は、情報処理ネットワーク２６と直接連結を持つ中継装置２２に加え、中継装置２２に接続された交換機２３と、交換機２３に接続された中継機２４により構成されるとしているが、この構成に限定されるものではない。更に、本発明の第３の実施の形態に係る情報処理システムに用いられる画像コード読取型情報端末は、第１及び第２の実施の形態に係る情報処理システムにおいて説明した通りであるから、重複した説明を省略する。【００７７】
但し、図１の集計サーバ２８は、第３の実施の形態に係る情報処理システムにおいては、図１４に示すように、入力装置３１、出力装置３２、処理制御装置（ＣＰＵ）３４、共有情報・個別伝達情報記憶装置３５、集計結果記憶装置３６、解析結果記憶装置３７、ライセンス登録情報記憶装置３９、個人情報記憶装置４１、傾向分析結果記憶装置４２及びマッチング情報記憶装置４３を、その論理的構成として備える構成であるので、個人情報記憶装置４１及び傾向分析結果記憶装置４２が付加されている点が、第１の実施の形態に係る情報処理システムのシステム構成とは異なる。【００７８】
又、処理制御装置（ＣＰＵ）３４は、共有情報処理モジュール３４ａ、個別伝達処理モジュール３４ｂ、ライセンス登録チェックモジュール３４ｃ及び個人情報チェックモジュール３４ｄを、その論理的構成として備える点では、第１の実施の形態に係る情報処理システムの処理制御装置（ＣＰＵ）３４と同様であるが、共有情報処理モジュール３４ａ及び個別伝達処理モジュール３４ｂの内部構成が、第１の実施の形態に係る情報処理システムとは異なる。即ち、図１４に示すように、共有情報処理モジュール３４ａは、第１の実施の形態に係る情報処理システムで説明した回答結果集計処理回路３４２、回答結果解析処理回路３４３、解析結果送信回路３４４に加え、回答結果分析回路３５１、マッチング回路３５２を、その論理的構成として備える点が、第１の実施の形態に係る情報処理システムとは異なる（回答結果集計処理回路３４２、回答結果解析処理回路３４３、解析結果送信回路３４４の機能や構成は、第１及び第２の実施の形態に係る情報処理システムと同様であるので、重複した説明を省略する。）。回答結果分析回路３５１は、解析結果記憶装置３７に格納された回答結果の順位、相関性等の解析結果を読み出し、各人の回答の傾向を分析し、分析結果を傾向分析結果記憶装置４２に格納する。マッチング回路３５２は、傾向分析結果記憶装置４２に格納された分析結果を読み出し、回答の傾向の合う回答者をシステマチックにマッチング処理する。マッチング処理されたマッチング情報は、マッチング情報記憶装置４３に格納する。回答の傾向の合う回答者は、それぞれの回答傾向毎に２以上の複数からなるグループとして選択可能であるが、最低２人の回答者が選ばれる。【００７９】
個別伝達処理モジュール３４ｂは、被集計情報を基礎とするデータ中から個別伝達情報を抽出し、この個別伝達情報により特定の情報端末にこの個別伝達情報を送信する論理回路である点では第１及び第２の実施の形態に係る情報処理システムと同様であるが、マッチング情報送信回路３５３を、その論理的構成として備える点で、第１及び第２の実施の形態に係る情報処理システムとは、異なる構成である。マッチング情報送信回路３５３は、マッチング情報記憶装置４３に格納されたマッチング情報を読み出し、マッチング結果に応じて、回答の傾向の合う情報端末同士を選択し、互いに相性が合うことを、それぞれの携帯情報端末に伝達する。【００８０】
集計サーバ２１のライセンス登録情報記憶装置３９は、ライセンス登録データが記憶する記憶装置であるが、集計サーバ２１のライセンス登録チェックモジュール３４ｃは、セミナーを開催（若しくは主催）する事業者、又は、会場支援サーバ２８が設置された会場の所有者たる事業者が、本発明の第３の実施の形態に係る情報処理に必要なライセンスを登録するのに必要な処理を行う論理回路である。即ち、ライセンス登録チェックモジュール３４ｃは、ライセンス登録情報記憶装置３９に、第３の実施の形態に係る情報処理に必要な事業者のライセンス情報を登録する。つまり、ライセンス登録チェックモジュール３４ｃは、ライセンス登録情報記憶装置３９を参照して、会場支援サーバ２８がライセンス登録されているか否かを判断する処理を行う論理回路である。即ち、集計サーバ２１は、ライセンス登録チェックモジュール３４ｃにより、ライセンスを登録した会場支援サーバ２８のみを接続可能とする。【００８１】
集計サーバ２１の個人情報記憶装置４１及び個人情報チェックモジュール３４ｄは、第１及び第２の実施の形態に係る情報処理システムで説明したと同様な画像コード読取型情報端末の持ち主が、ユーザ登録を行うのに必要な処理を行うための記憶装置及び論理回路であり、重複した説明を省略する。【００８２】
又、入力装置３１、出力装置３２、共有情報・個別伝達情報記憶装置３５、集計結果記憶装置３６、解析結果記憶装置３７等の他の構成は、第１及び第２の実施の形態に係る情報処理システムと実質的に同様であるので、重複した説明を省略する。【００８３】
本発明の第３の実施の形態に係る情報処理システムによれば、光学的に画像コードを読み取るという簡単な操作を介して、全員に集計結果を瞬時に表示する共有情報コミュニケーションシステムと、特定の情報端末を選択し個別に情報を提供する個別情報コミュニケーションシステムを、相互に関連させつつ、リアルタイムに並列処理させ、且つ使い分けることが可能になり、更に、集計サーバの処理能力の負担をも軽減することが可能になる。特に質問（アンケート）に対する回答の集計を瞬時に行い、集計結果やその解析結果を全員に表示する共有情報コミュニケーションシステムと、質問（アンケート）の回答の傾向を分析し、回答傾向の類似する回答者を選択し、回答傾向の類似した回答者相互のコミュニケーションを可能にする個別情報コミュニケーションをリアルタイムに同時に進行させ、これによりひいては、心の文化の発展や産業の活性化に寄与することが可能である。【００８４】
−情報処理方法−
図１及び図１４を参照しながら、図１５に示したフローチャートを用いて、本発明の第３の実施の形態に係る情報処理方法を説明する。但し、以下の説明は、一例であり、この変形例を含めて、これ以外の種々の情報処理方法に適用可能であることは勿論である。尚、図１５のステップＳ４０１の前に、図１４に示した集計サーバ２１のライセンス登録チェックモジュール３４ｃを用いて、ライセンス登録情報記憶装置３９に、第３の実施の形態に係る情報処理を実施する事業者のライセンス情報が登録済みであるものとする。又、集計サーバ２１の個人情報チェックモジュール３４ｄにより、既に、画像コード読取型情報端末の持ち主が個人認証用データを個人情報記憶装置４１に保存し、ユーザ登録されているものとする。【００８５】
（ａ）ステップＳ４０１において、質問（アンケート）と対応する回答（選択肢）及びそれを反映した集計用選択コードが並列表記された印刷物が用意され、これが、セミナー参加者にそれぞれ配布される。図５と同様に、５択でも良く、２択、３択、４択、或いは６択以上の選択肢でも構わない。【００８６】
（ｂ）次に、ステップＳ４０２において、それぞれのセミナー参加者は、複数の回答（選択肢）の内から、自己が適切と思う、若しくは自己の嗜好（フィーリング）に適合すると思う回答を、その回答（選択肢）に添付された集計用選択コードのいずれかを、画像コード読取型情報端末の画像コード読取装置１１（図２参照。）を用いて光学的に読み取ることにより選択する。その後、ステップＳ４０３において、画像コード読取装置１１が読み取った集計用選択コードのいずれかを、画像コード読取型情報端末の画像コード解読手段１０ｂが解読（デコード）し、更にステップＳ４０４において、画像コード読取型情報端末のデータ編集手段１０ｃが、読み込まれたアクション情報の命令に従い、集計用選択コードのいずれかと個人情報とをメタレベルで編集する。編集された集計用選択コードは、画像コード読取型情報端末の電話機能制御手段１０ａを用いて、ステップＳ４０５において、情報処理ネットワーク２６を介して、被集計情報として集計サーバ２１に送信される。集計サーバ２１は、送られてきた集計用選択コードの情報を、被集計情報として共有情報・個別伝達情報記憶装置３５に格納する。【００８７】
（ｃ）ステップＳ４０６において、集計サーバ２１は、図１４に示したライセンス登録チェックモジュール３４ｃを用いて、ライセンス登録情報記憶装置３９に格納されたライセンス情報を読み出し、画像コード読取型情報端末から送られてきた集計用選択コードが、既に登録済みの事業者に関わる集計用選択コードであるか否かのライセンス登録チェックをする。更に、ステップＳ４０７において、集計サーバ２１は、図１４に示した個人情報チェックモジュール３４ｄを用いて、個人情報記憶装置４１に格納された個人認証用データを読み出し、個人情報登録チェックを行う。【００８８】
（ｄ）ステップＳ４０８においては、図１４に示した共有情報処理モジュール３４ａの回答結果集計処理回路３４２を用いて、被集計情報（アンケートの回答結果）を集計処理し、集計結果を集計結果記憶装置３６に格納後、ステップＳ４０９に進む。ステップＳ４０９では、図１４に示した共有情報処理モジュール３４ａの回答結果解析処理回路３４３を用いて、集計結果記憶装置３６から集計結果を読み出し、読み出した集計結果の順位、相関性等の解析処理を実行し、解析結果を解析結果記憶装置３７に格納後、ステップＳ４１０とステップＳ４２０の両方に進む。【００８９】
（ｅ）ステップＳ４１０では、図１４に示した共有情報処理モジュール３４ａの解析結果送信回路３４４を用いて、解析結果記憶装置３７から解析結果を読み出し、読み出した解析結果を、図１に示した情報処理ネットワーク２６を介して、会場支援サーバ（ＰＣ）２８に送信し、ステップＳ４１１に進む。ステップＳ４１１では、図１に示した会場支援サーバ（ＰＣ）２８により、図６に示したと同様に、セミナー会場の大画面表示装置（スクリーン）３０に全体表示し、セミナー講師がその内容を解説する。【００９０】
（ｆ）一方、ステップＳ４２０においては、図１４に示した回答結果分析回路３５１により、解析結果記憶装置３７に格納された回答結果の順位、相関性等の解析結果を読み出し、各人の回答の傾向を分析し、分析結果を傾向分析結果記憶装置４２に格納後、ステップＳ４２１に進む。ステップＳ４２１では、図１４に示したマッチング回路３５２により、傾向分析結果記憶装置４２に格納された分析結果を読み出し、回答の傾向の合う回答者をシステマチックにマッチング処理する。即ち、回答の傾向の合う情報端末同士が、マッチング回路３５２によりマッチング処理される。マッチング処理されたマッチング情報は、マッチング情報記憶装置４３に格納し、ステップＳ４２２に進む。【００９１】
（ｇ）ステップＳ４２２では、個別伝達処理モジュール３４ｂのマッチング情報送信回路３５３により、マッチング結果に応じて、回答の傾向の合う情報端末同士を選択し、互いに相性が合うことを、それぞれの情報端末同士に伝達する。回答の傾向の合う回答者は、それぞれの回答傾向毎に２以上の複数からなるグループとして選択可能であるが、最低２つの情報端末が選ばれる。この結果、例えば相性の合う人物情報の提供や交換が可能となる。【００９２】
本発明の第３の実施の形態に係る情報処理方法によれば、光学的に画像コードを読み取るという簡単な操作を介して、全員に集計結果を瞬時に表示する共有情報コミュニケーションシステムと、特定の情報端末を選択し個別に情報を提供する個別情報コミュニケーションシステムを、相互に関連させつつ、リアルタイムに並列処理させ、且つ使い分けることが可能になり、更に、集計サーバの処理能力の負担をも軽減することが可能になる。特に質問（アンケート）に対する回答の集計を瞬時に行い、集計結果やその解析結果を全員に表示する共有情報コミュニケーションシステムと、質問（アンケート）の回答の傾向を分析し、回答傾向の類似する回答者を選択し、回答傾向の類似した回答者相互のコミュニケーションを可能にする個別情報コミュニケーションをリアルタイムに同時に進行させ、これにより、ひいては、心の文化の発展や産業の活性化に寄与することが可能である。【００９３】
（その他の実施の形態）
上記のように、本発明は第１〜第３の実施の形態によって記載したが、この開示の一部をなす論述及び図面は本発明を限定するものであると理解すべきではない。この開示から当業者には様々な代替実施の形態、実施例及び運用技術が明らかとなろう。【００９４】
第１〜第３の実施の形態の説明においては、情報処理ネットワーク２６と、情報処理ネットワーク２６に接続された会場支援サーバ２８と、集計サーバ２１と、中継装置２２が接続されたシステム構成において、会場支援サーバ（ＰＣ）２８が、プロジェクタ２９が接続され、プロジェクタ２９がセミナー会場に設置された大画面表示装置（スクリーン）３０に必要な情報を表示する例を説明したが、必ずしも、会場支援サーバ（ＰＣ）２８、プロジェクタ２９、大画面表示装置（スクリーン）３０は必要ではない。即ち、本発明の情報処理方法は、必ずしも特定のセミナー会場に回答者が集まり、集合的に実施される必要はなく、例えば、図１６に示すように、分散された複数の情報端末（画像コード読取型情報端末）６５ａ，６５ｂ，６５ｃ，・・・・・，６５ｈ，・・・・・から構成されるシステムで、複数の回答者がいかなる場所からでも回答し、その集計結果をリアルタイムに受け取ることを可能にしたシステムでも良い。図１６においては、デジタル通信網２７は、情報処理ネットワーク２６と直接連結を持つように全国に分散配置された複数の中継装置２２ａ，２２ｂ，・・・・・と、複数の中継装置２２ａ，２２ｂ，・・・・・にそれぞれ接続された複数の交換機２３ａ，２３ｂ，２３ｃ，２３ｄ，・・・・・と、複数の交換機２３ａ，２３ｂ，２３ｃ，２３ｄ，・・・・・に接続された複数の中継機２４ａ，２４ｂ，２４ｃ，・・・・・，２４ｈ，・・・・・により構成される全国レベルの分散システムを意図して模式的に表現している。この場合は、複数の回答者は、全国津々浦々に分散していることが可能であるので、大画面表示装置（スクリーン）３０の代わりに、図１７（ｂ）及び図１７（ｃ）に示すように、それぞれの情報端末（画像コード読取型情報端末）６５ａ，６５ｂ，６５ｃ，・・・・・，６５ｈ，・・・・・に、全員の回答をまとめた試験結果やアンケート集計結果が、集計サーバから同時に送信され一括表示される。【００９５】
図５においては、印刷物１４に各質問に対応して、５つの集計用選択コード１５ａ，１５ｂ，・・・・・，１５ｅと２つの個別伝達コード１５ｆ，１５ｇが印刷された例を示したが、１つの画像コードを画像コード読取型情報端末６５ｐで読み込み、読み込まれた画像コードに含まれる信号を用いて、図１７（ａ）に示すように、画像コード読取型情報端末６５ｐの表示装置６６ｐに「Ｑ１５：正しい答えの番号のキーを押してください」のような文字表示を自動的に表示させるように、画像コード読取型情報端末６５ｐのソフトウェアをプログラムしておくことにより、画像コード読取型情報端末６５ｐのキー操作で選択肢を選択させるようにしても良い。【００９６】
又、第１〜第３の実施の形態の説明においては、画像コード読取型情報端末として携帯電話を用いて説明したが、画像コード読取型情報端末は携帯電話とは限らない。特に、本発明の第１の実施の形態に係る情報処理システムで例示したような模擬試験の場合は、回答の厳密性（厳格性）を維持するため、電話機能のロックされた「セミナー専用の回答端末」をセミナー主催者が受験者に貸与して、それを受験者が用いるようにしても良い。又、携帯電話の他に、画像読み取り機能を備えたＰＨＳ、ＰＤＡ、携帯用ＰＣ、電子手帳等でも良い。又、デジタルカメラを含むカメラ、ゲーム機、カーナビゲーション機器、スキャナー、プリンタ等の電子機器でも、情報処理ネットワーク２６に接続可能な機能と画像読み取り機能を備えているのであれば、構わない。更に、腕時計、眼鏡、ベルト、靴等身体に装着又は携行可能なものの一部に情報端末としての機能をなすＩＣチップ（半導体集積回路）と画像読み取り機能を、内蔵や集積化した構造でも構わない。【００９７】
更に、第１〜第３の実施の形態の説明においては、二次元コードを用いて、質問（アンケート）に回答する例を示したが、「画像コード」は二次元コードに限るものではない。１次元バーコード、１．５次元バーコード、３次元コード、ホログラム、電子透かし、或いは、暗号等でも良いし、又、文字データそのものを画像として読み込む方式でも構わない。【００９８】
更に、第１〜第３の実施の形態の説明等における「印刷」とは、通常のオフセット印刷、活版印刷・ホットスタンプ印刷、シルクスクリーン印刷等の「印刷インクを使い、版面に描き出されている文字・絵画・模様などを、紙その他の被印刷体の表面に刷り出す」技術に限定されず、インクジェット、インクリボン、レーザプリンタ等による手法でも構わず、更には、打刻やレーザ加工等、印刷に等価なビジュアル表現を可能にする機能と作用・効果をなす種々の手段を含むものであることに留意されたい。したがって、本明細書における「印刷物」には、打刻やレーザ加工等、印刷に等価な、画像コードのビジュアル表現を可能にする手段により加工された種々の被加工物が含まれる。【００９９】
この様に、本発明はここでは記載していない様々な実施の形態等を含むことは勿論である。従って、本発明の技術的範囲は上記の説明から妥当な特許請求の範囲に係る発明特定事項によってのみ定められるものである。
【産業上の利用の可能性】
【０１００】
本発明によれば、全員にリアルタイムで瞬時に集計結果を表示する共有情報コミュニケーションシステムと、特定の情報端末を選択し個別に情報を提供する個別情報コミュニケーションシステムを、相互に関連させつつ、並列処理可能で、且つ集計サーバの処理能力の負担を軽減できる情報処理方法、及びこの情報処理方法に用いられる集計サーバを提供できるので、本発明は、広告・宣伝、アンケート調査、マーケティングや教育の分野等に利用可能である。教育の分野で例示すれば、上級者、中級者及び初心者等の学習レベルの異なる参加者（受験者）が同時に参加した模擬試験形式のセミナーに適用し、各人の学習レベルに適合した教育と、全体的な統計処理を同時に進行させることが可能になる。又、質問（アンケート）の回答者の中から当選者を選び、当選者に個別に通知するようなマーケティングや質問（アンケート）の回答の傾向を分析し、回答傾向の類似する回答者を選択し、回答傾向の類似した回答者相互のコミュニケーションを可能にするような、心の文化の発展に関連するような産業に適用可能である。
【図１】
2007013653.tif 000002
【図２】
2007013653.tif 000003
【図３】
2007013653.tif 000004
【図４】
2007013653.tif 000005
【図５】
2007013653.tif 000006
【図６】
2007013653.tif 000007
【図７】
2007013653.tif 000008
【図８】
2007013653.tif 000009
【図９】
2007013653.tif 000010
【図１０】
2007013653.tif 000011
【図１１】
2007013653.tif 000012
【図１２】
2007013653.tif 000013
【図１３】
2007013653.tif 000014
【図１４】
2007013653.tif 000015
【図１５】
2007013653.tif 000016
【図１６】
2007013653.tif 000017
【図１７】
2007013653.tif 000018
【国際調査報告】
2007013653.tif 000019
2007013653.tif 000020
2007013653.tif 000021
2007013653.tif 000022